(57)【特許請求の範囲】
【請求項１】
用紙を出し入れできるようにその上端が開口したケース本体と、
前記ケース本体の内部を水平方向に隣接する第１及び第２収納空間に仕切る仕切り板と、
前記第１収納空間に収納された用紙の下端を支持するべく前記ケース本体と前記仕切り板とに架け渡して着脱可能に取り付けられる第１支持体と、
前記第２収納空間に収納された用紙の下端を支持するべく前記ケース本体と前記仕切り板とに架け渡して着脱可能に取り付けられる第２支持体と、
前記第１支持体の取り付け位置を、第１収納空間に収納する用紙の種類に応じて変更可能とするべく配置された第１支持体取付部と、
前記第２支持体の取り付け位置を、第２収納空間に収納する用紙の種類に応じて変更可能とするべく配置された第２支持体取付部と、を備え、
前記第１及び第２支持体は、少なくとも各先端部に螺子部を有する棒状体であり、
前記第１及び第２支持体取付部は、それぞれ前記ケース本体と前記仕切り板に同軸的に設けられた貫通孔であり、
前記ケース本体の貫通孔に外側から挿入された前記第１及び第２支持体の前記各先端部が、前記仕切り板の貫通孔に螺合連結され、かつ、前記第１及び第２支持体の、それぞれ前記第１及び前記第２収納空間に位置する部分が、前記第１及び前記第２収納空間に収納された用紙の下端を支持する、用紙収納ケース。
【請求項２】
前記第１支持体取付部が、前記第２支持体取付部と干渉しない位置に設けられている、請求項１に記載の用紙収納ケース。
【請求項３】
前記ケース本体を構成する底板の一部が開口している、請求項１または２に記載の用紙収納ケース。
【請求項４】
前記ケース本体の上端周縁にフランジ部を形成することを特徴とする、請求項１〜３のいずれか１項に記載の用紙収納ケース。
【請求項５】
請求項１〜４のいずれか１項に記載の用紙収納ケースを挿入して取り付けるための切欠部を備えた天板を有する、記載台。
【発明の詳細な説明】
【技術分野】
【０００１】
本発明は、金融機関、役所、病院等で使用される各種手続き書面を記載するための記載台に設けられた用紙収納ケース及びこれを備えた記載台に関する。
【背景技術】
【０００２】
金融機関、役所、病院等には、各種手続きを行うために、それぞれ所定の用紙があり、手続きを行う者がその用紙に記入できるよう、記載台が設置されている（例えば、特許文献１）。用紙は、記載台の近くに用意されていれば手続きを行う者にとって便利であり、通常、記載台の上に用意されていることが多い。この場合、記載台には、手続きを行う者が用紙に記入するためのスペースを確保するだけでなく、用紙を収納するスペース（収納ケースを設置するスペース）も確保する必要がある。
【０００３】
一方、用紙は、手続きの種類に応じて数種用意されていることが多い。例えば、金融機関であれば、新規口座開設の申込書、振込用紙、両替依頼書等がある。そのため、記載台に設置される収納ケースは、異なる種類の用紙に対応できるものが望ましい。
【０００４】
特許文献２では、書類トレイを複数個積み重ねた多段式のレターケースが提案されており、これを記載台の上に設置すれば、種々の用紙を収納して使用することができる。
【先行技術文献】
【特許文献】
【０００５】
【特許文献１】特開２０１０−１０４５５４号公報
【特許文献２】特開２００４−２４９６０８号公報
【発明の概要】
【発明が解決しようとする課題】
【０００６】
しかしながら、このレターケースでは、少なくとも用紙の大きさと同じだけ、平面上のスペースが必要となる。そのため、記載台の上に設置すると、記載台の上の作業スペースが大きく制限されることとなる。
【０００７】
また、通常、金融機関、役所、病院等では、用件に応じて数種類の記入用紙が用意されており、それらの記入用紙は、サイズが一定ではなく、例えば、Ａ４サイズ、Ｂ５サイズ、さらに、規格外のサイズもある。しかしながら、このレターケースは、１つ１つの書類トレイの大きさが一定であるため、異なるサイズの用紙を収納するには適さない。
【０００８】
本発明は、以上のような従来技術の課題を解決するために提案されたものであり、その目的は、省スペースで種々のサイズの用紙を収納できる用紙収納ケース及びこれを備えた記載台を提供することにある。
【課題を解決するための手段】
【０００９】
上記目的を達成するため、請求項１の発明は、用紙を出し入れできるようにその上端が開口したケース本体と、前記ケース本体の内部を水平方向に隣接する第１及び第２収納空間に仕切る仕切り板と、前記第１収納空間に収納された用紙の下端を支持するべく前記ケース本体と前記仕切り板とに架け渡して着脱可能に取り付けられる第１支持体と、前記第２収納空間に収納された用紙の下端を支持するべく前記ケース本体と前記仕切り板とに架け渡して着脱可能に取り付けられる第２支持体と、前記第１支持体の取り付け位置を、第１収納空間に収納する用紙の種類に応じて変更可能とするべく配置された第１支持体取付部と、前記第２支持体の取り付け位置を、第２収納空間に収納する用紙の種類に応じて変更可能とするべく配置された第２支持体取付部と、を備え、前記第１及び第２支持体は、少なくとも各先端部に螺子部を有する棒状体であり、前記第１及び第２支持体取付部は、それぞれ前記ケース本体と前記仕切り板に同軸的に設けられた貫通孔であり、前記ケース本体の貫通孔に外側から挿入された前記第１及び第２支持体の前記各先端部が、前記仕切り板の貫通孔に螺合連結され、かつ、前記第１及び第２支持体の、それぞれ前記第１及び前記第２収納空間に位置する部分が、前記第１及び前記第２収納空間に収納された用紙の下端を支持する、用紙収納ケースである。
【００１０】
以上の態様では、ケース本体の上端が開口しているため、開口部から用紙を出し入れできる。また、ケース本体の内部を水平方向に隣接する２つの収納空間に仕切る仕切り板を設けることで、１つのケースの中に２つの収納空間（第１収納空間、第２収納空間）ができる。このため、第１収納空間、第２収納空間それぞれに異なる種類の用紙を収納することができる。また、ケース本体と仕切り板とに架け渡して取り付けられる支持体を設けることで、収納空間に収納される用紙の下端は、ケース底板ではなく、支持体によって支持される。すなわち、支持体の取り付け位置（ケース上端からの深さ）によって、収納される用紙の下端の位置が決定される。また、支持体は着脱可能であり、支持体の取り付け位置を変更可能とする支持体取付部を設けることで、収納する用紙の種類に応じて支持体の取り付け位置を変更することができる。そして、１つの収納空間において、支持体の取り付け位置を変更することによって、サイズの異なる用紙を入れ替え収納することができる。さらに、第１収納空間、第２収納空間それぞれに、支持体の取り付け位置を変更できる第１支持体取付部、第２支持体取付部を設けることで、第１支持体の取り付け位置と第２支持体の取り付け位置を異なる位置に設定することができ、第１収納空間と第２収納空間に異なるサイズの用紙を収納することができる。また、支持体がその先端部に螺子部を有し、ケース本体と仕切り板に同軸的に設けられた貫通孔に螺合連結されるため、支持体がケース本体に確実に固定され、収納する用紙の下端を安定的に支持することができる。
【００１１】
請求項２の発明は、請求項１記載の発明において、前記第１支持体取付部が、前記第２支持体取付部と干渉しない位置に設けられていることを特徴とする。
【００１２】
以上の態様では、第１支持体取付部を、第２支持体取付部と干渉しない位置に設けることで、第１収納空間と第２収納空間に仕切る仕切り板を薄くすることができる。ここで、「干渉しない」とは、第１支持体取付部と第２支持体取付部とが、垂直方向、水平方向ともに同じ位置に設けられていないことを意味する。
【００１３】
請求項３の発明は、前記ケース本体を構成する底板の一部が開口していることを特徴とする。
【００１４】
以上の態様では、ケースに収納すべき用紙ではなく、誤ってゴミ等を投入してしまった場合にも、開口したケース底板から排出させることができる。
【００１５】
請求項４の発明は、請求項１〜３のいずれか１項に記載の発明において、前記ケース本体の上端周縁にフランジ部を形成することを特徴とする。
【００１６】
以上の態様では、記載台の天板に設けられた切欠部にケースを挿入した際、記載台の天板とケース本体の上端周縁に形成されたフランジ部が接することで、ケースを支持することができる。
【００１７】
請求項５の発明は、請求項１〜４のいずれか１項に記載の用紙収納ケースを挿入して取り付けるための切欠部を備えた天板を有する、記載台である。
【００１８】
以上の態様では、記載台の天板に切欠部を設け、ケースを切欠部に挿入することによって、記載台での作業者が、記載台に設置されたケースから容易に用紙を取り出すことができる。
【発明の効果】
【００１９】
以上の本発明によれば、省スペースで種々のサイズの用紙を収納できる用紙収納ケース及びこれを備えた記載台を提供することができる。
【図面の簡単な説明】
【００２０】
【図１】本発明の実施の形態の係る記載台の全体斜視図。
【図２】本発明の実施の形態に係る用紙収納ケースの分解図。
【図３】本発明の実施の形態に係る用紙収納ケースの全体斜視図。
【図４】本発明の実施の形態に係る用紙収納ケースを記載台に挿入した状態での断面図。
【発明を実施するための形態】
【００２１】
以下、本発明の実施の形態（以下、本実施形態という。）について、図面を参照しながら説明する。なお、従来と同様の構成については、適宜説明を省略する場合がある。
【００２２】
［１．本実施形態］
［１−１．構成］
（１）全体構成
本実施形態の記載台１００は、主たる構成要素は、公知の記載台と同様の構成であり、図１に示すように、天板１０１と、天板１０１の短辺下端部に垂直に固定される側板１０２、１０２’と、天板１０１下部と側板１０２、１０２’とに固定される幕板１０３とから構成される。天板１０１には切欠部１０４が設けられている。天板１０１は、手続きを行う者が用紙に記入するための作業スペースである。側板１０２、１０２’は、長方形の板であり、天板１０１の短辺下端部に垂直に固定され、記載台１００の脚となる。幕板１０３は、天板１０１に垂直に形成された板である。幕板１０３は、図１に示すように、天板１０１のやや奥側に位置し、幕板１０３を設けることによって、記載台１００手前からは、切欠部１０４に挿入された後述する本実施形態の用紙収納ケースは見えないように構成されている。切欠部１０４は、本実施形態の用紙収納ケースを挿入するために設けられた貫通孔である。切欠部１０４は、天板１０１の後縁近傍の左寄りの位置に設けられている。
【００２３】
本実施形態の用紙収納ケース（以下、「ケース１」とする）は、ケース本体１０と支持体４１、４２と支持体取付部３１、３２とから構成される。ケース本体１０は、上端１１が開口した箱体であり、図２、図３に示すように、対向する垂直２組の側板１２、１２’、側板１３、１３’、底板１４、１４’からなる。ケース本体１０の上端１１は、用紙を出し入れする部分となっている。ケース本体１０の下端は、底板１４、１４’の部分を除いて大部分が開口している。側板１２の下端中央部と仕切り板２の下端中央部、側板１２’の下端中央部と仕切り板２の下端中央部は、底板１４、１４’によりそれぞれ連結されている。
【００２４】
ケース１は、図２に示すように、側板１２、１２’に平行に、ケース本体１０の内部を２つの収納空間（第１収納空間、第２収納空間）に仕切る仕切り板２を備える。図４に示すように、仕切り板２で仕切られた側板１２側の空間が第１収納空間Ｘ、側板１２’側の空間が第２収納空間Ｙである。また、ケース１は、図２に示すように第１収納空間Ｘ、第２収納空間Ｙそれぞれに収納された用紙の下端を支持するべく支持体４１、４２を備える。第１収納空間Ｘにおいて、第１支持体４１が取り付けられ、第２収納空間Ｙにおいて、第２支持体４２が取り付けられる。第１支持体４１と第２支持体４２とはケース本体１０及び仕切り板２に着脱可能である。ケース１は、第１支持体４１の取り付け位置を変更可能とするべく、第１支持体取付部３１を備え、第２支持体４２の取り付け位置を変更可能とするべく、第２支持体取付部３２を備える。
【００２５】
ケース１は、ケース本体１０の開口部周縁にフランジ部５を有する。フランジ部５は、天板１０１の上面に係合することにより、切欠部１０４からケース１が抜け落ちるのを防止している。フランジ部５によって、記載台１００の天板１０１のスペースが大きく制限されないように、フランジ部５の幅は１〜２ｃｍである。フランジ部５の下面には、ケース側板１２、１２’、１３、１３’の上縁に沿わせて固定部材６２、６２’、６３、６３’が設けられている。固定部材６２、６２’、６３、６３’が切欠部側壁１０４Ａに接触することにより、ケース１のがたつきを少なくしている。仕切り板２、支持体取付部３１、３２、及び支持体４１、４２についての詳細は後述する。
【００２６】
（２）仕切り板の構成
仕切り板２は、長方形の板であって、板厚が３〜７ｍｍのアクリル板より形成される。仕切り板２は、ケース本体１０内部を前後２つの収納空間（第１収納空間Ｘ、第２収納空間Ｙ）に仕切るための部材であり、２つの収納空間を均等に分割できるように、図３に示すように、側板１３、１３’の中央に固定されている。また、上端１１からケース本体内部を眺めたときに、仕切り板２が目立たないよう美的観点から、仕切り板２の上端部は、図３に示すように、上端１１開口部より１〜３ｃｍケース内部に位置する。
【００２７】
（３）支持体取付部の構成
本実施形態では、図２に示すように、第１支持体取付部３１として、側板１２に８個の挿入孔３１ａ〜３１ｄ、３１ａ’〜３１ｄ’、仕切り板２に８個の螺子受け３１Ａ〜３１Ｄ、３１Ａ’〜３１Ｄ’を備える。また、第２支持体取付部３２として、側板１２’に８個の挿入孔３２ａ〜３２ｄ、３２ａ’〜３２ｄ’、仕切り板２に８個の螺子受け３２Ａ〜３２Ｄ、３２Ａ’〜３２Ｄ’を備える。挿入孔３１ａ〜３１ｄ、３１ａ’〜３１ｄと螺子受け３１Ａ〜３１Ｄ、３１Ａ’〜３１Ｄ’は、同軸上にあり、挿入孔３１ａ〜３１ｄ、３１ａ’〜３１ｄから螺子受け３１Ａ〜３１Ｄ、３１Ａ’〜３１Ｄ’へ、支持体４１が側板１２に対して直交する方向に挿入できるように形成されている。また、挿入孔３２ａ〜３２ｄ、３２ａ’〜３２ｄと螺子受け３２Ａ〜３２Ｄ、３２Ａ’〜３２Ｄ’も、同軸上にあり、挿入孔３２ａ〜３２ｄ、３２ａ’〜３２ｄから螺子受け３２Ａ〜３２Ｄ、３２Ａ’〜３２Ｄ’へ、支持体４２が側板１２’に対して直交する方向に挿入できるように形成されている。
【００２８】
挿入孔３１ａ〜３１ｄ、３１ａ’〜３１ｄ’、３２ａ〜３２ｄ、３２ａ’〜３２ｄ’は、図２に示すように、側板１２、１２’において、４段階で取りつけ位置(上端１１からの深さ)が異なる位置にあり、１段階につき２つずつ設けられている。また、１段階ごとに設けられた２つの挿入孔は、側板１２、１２’を左右二等分する縦方向の中心線に対して左右対称に配置されている。側板１２には、上端１１からの深さが深い方から段階的に、挿入孔３１ａと３１ａ’、挿入孔３１ｂと３１ｂ’、挿入孔３１ｃと３１ｃ’、挿入孔３１ｄと３１ｄ’とが備えられ、側板１２’には、上端１１からの深さが深い方から段階的に、挿入孔３２ａと３２ａ’、挿入孔３２ｂと３２ｂ’、挿入孔３２ｃと３２ｃ’、挿入孔３２ｄと３２ｄ’とが備えられている。挿入孔３１ａと３１ａ’は、側板１２を左右二等分する縦方向の中心線に対して左右対称に配置されている。また、挿入孔３１ｂと３１ｂ’、挿入孔３１ｃと３１ｃ’、挿入孔３１ｄと３１ｄ’、挿入孔３２ａと３２ａ’、挿入孔３２ｂと３２ｂ’、挿入孔３２ｃと３２ｃ’、挿入孔３２ｄと３２ｄ’とについても同様に、側板１２、１２’を左右二等分する縦方向の中心線に対して左右対称に配置されている。
【００２９】
参考までに、本実施形態のケース１における挿入孔３１ａ〜３１ｄ、３１ａ’〜３１ｄ’、３２ａ〜３２ｄ、３２ａ’〜３２ｄ’の取り付け位置を例として示す。取り付け位置は、ケース本体の上端からの距離を「深さ」として表す。挿入孔３１ａ、３１ａ’は上端１１から約２６ｃｍの深さに位置し、挿入孔３１ｂ、３１ｂ’は上端１１から約２２ｃｍの深さに位置し、挿入孔３１ｃ、３１ｃ’は上端１１から約１１ｃｍの深さに位置し、挿入孔３１ｄ、３１ｄ’は上端１１から約９ｃｍの深さに位置している。また、挿入孔３２ａ、３２ａ’は上端１１から約２４ｃｍの深さに位置し、挿入孔３２ｂ、３２ｂ’は上端１１から約２０ｃｍの深さに位置し、挿入孔３２ｃ、３２ｃ’は上端１１から約９ｃｍの深さに位置し、挿入孔３２ｄ、３２ｄ’は上端１１から約７ｃｍの深さに位置している。
【００３０】
本実施形態では、挿入孔３１ａと３１ａ’の距離、挿入孔３１ｂと３１ｂ’の距離、挿入孔３１ｃと３１ｃ’の距離、挿入孔３１ｄと３１ｄ’の距離は全て同じであり、また、挿入孔３２ａと３２ａ’の距離、挿入孔３２ｂと３２ｂ’の距離、挿入孔３２ｃと３２ｃ’の距離、挿入孔３２ｄと３２ｄ’の距離は全て同じである。挿入孔３１ａと３１ａ’の距離は、挿入孔３２ａと３２ａ’の距離よりも長くなるように、挿入孔の位置決めがなされている。したがって、側板１２に設けられた螺子受け３１Ａ〜３１Ｄ、３１Ａ’〜３１Ｄ’と側板１２’に設けられた螺子受け３２Ａ〜３２Ｄ、３２Ａ’〜３２Ｄ’とが、仕切り板２において、垂直方向、水平方向ともに同じ位置に設けられることはない。
【００３１】
挿入孔３１ａ〜３１ｄ、３１ａ’〜３１ｄ’、３２ａ〜３２ｄ、３２ａ’〜３２ｄ’と螺子受け３１Ａ〜３１Ｄ、３１Ａ’〜３１Ｄ’、３２Ａ〜３２Ｄ、３２Ａ’〜３２Ｄ’は、直径３〜１０ｍｍの円形の貫通孔である。螺子受け３１Ａ〜３１Ｄ、３１Ａ’〜３１Ｄ’、３２Ａ〜３２Ｄ、３２Ａ’〜３２Ｄ’には、挿入孔３１ａ〜３１ｄ、３１ａ’〜３１ｄ’、３２ａ〜３２ｄ、３２ａ’〜３２ｄ’から挿入された支持体４１、４２の先端部が螺子受け３１Ａ〜３１Ｄ、３１Ａ’〜３１Ｄ’、３２Ａ〜３２Ｄ、３２Ａ’〜３２Ｄ’に螺合連結できるように、複数の溝が形成されている。
【００３２】
（４）支持体の構成
本実施形態の支持体４１、４２は、側板１２、１２’に備えられた挿入孔３１ａ〜３１ｄ、３１ａ’〜３１ｄ’、３２ａ〜３２ｄ、３２ａ’〜３２ｄ’から、仕切り板２に備えられた螺子受け３１Ａ〜３１Ｄ、３１Ａ’〜３１Ｄ’、３２Ａ〜３２Ｄ、３２Ａ’〜３２Ｄ’に向けて挿入される部材である。支持体４１、４２は、図２に示すように、一方の末端に螺子頭４１１、４２１を有し、もう一方の末端に螺子部４１２、４２２を有する棒状体である。支持体４１、４２をケース１に挿入し、その螺子部４１２、４２２を仕切り板２の螺子受け３１Ａ〜３１Ｄ、３１Ａ’〜３１Ｄ’、３２Ａ〜３２Ｄ、３２Ａ’〜３２Ｄ’に螺合させ締め付けたときにその螺子頭４１１、４２１が側板１２、１２’に密接するように、支持体４１、４２の軸の長さは選定されている。
【００３３】
［１−２．作用効果］
以上のような本実施形態の構成に基づいて、ケースの作用について説明する。
【００３４】
（１）ケースの使用方法
図３には、側板１２、１２’が約２８ｃｍ×約２２ｃｍの直方形であるケースを示す。このケースは、Ａ４、Ｂ５、Ａ５、Ｂ６サイズの用紙を収納することを想定したものである。図３は、側板１２と仕切り板２との空間（第１収納空間Ｘ）にＡ４用紙、側板１２’と仕切り板との空間（第２収納空間Ｙ）にＢ６用紙を収納するために、支持体４１Ａ、４１Ｂ、４２Ａ、４２Ｂを挿入した状態を示す。図３を参考に、ケースにＡ４用紙とＢ６用紙を収納する方法について説明する。
【００３５】
まず、挿入孔３１ａから螺子受け３１Ａに向けて支持体４１Ａを挿入し、固定する。次に、挿入孔３１ａ’から螺子受け３１Ａ’に向けて支持体４１Ｂを挿入し、固定する。挿入孔３１ａ、３１ａ’は、上端１１から約２６ｃｍの深さに位置しており、Ａ４用紙（タテ２９７ｍｍ、ヨコ２１０ｍｍ）を縦方向に収納することができる。この場合、Ａ４用紙は上端１１から、約４ｃｍ突出する。
【００３６】
同様の方法で、挿入孔３２ｄから螺子受け３２Ｄ、挿入孔３２ｄ’から螺子受け３２Ｄ’に向けて支持体４２Ａ、４２Ｂを挿入し、固定する。挿入孔３２ｄ、３２ｄ’は、上端１１から約７ｃｍの深さに位置しており、Ｂ６用紙（タテ１８２ｍｍ、ヨコ１２８ｍｍ）を横方向に収納することができる。この場合、Ｂ６用紙は上端１１から、約６ｃｍ突出する。
【００３７】
次に、ケース１を記載台１００の切欠部１０４に挿入する。その際、記載台１００の天板１０１にケース１が挿入された状態でケース１から用紙が取り出し易いように、上端１１から用紙がより高く突出している側、ここでは、側板１２’を奥側にする。
【００３８】
次に、ケース１に収納する用紙サイズを変更する場合について説明する。
【００３９】
まず、記載台１００の切欠部１０４からケース１を取り出し、支持体４１Ａ、４１Ｂを取り外す。側板１２と仕切り板２との空間（第１収納空間Ｘ）にＡ４用紙を収納した場合は先に説明したとおりであり、Ｂ５、Ａ５、Ｂ６サイズの用紙を収納できるように、支持体４１Ａ、４１Ｂの取り付け位置を変更する方法を説明する。
【００４０】
挿入孔３１ｂから螺子受け３１Ｂ、挿入孔３１ｂ’から螺子受け３１Ｂ’に向けて支持体４１Ａ、４１Ｂを挿入し、固定した場合、挿入孔３１ｂ、３１ｂ’は、上端１１から約２２ｃｍの深さに位置しており、Ｂ５用紙（タテ２５７ｍｍ、ヨコ１８２ｍｍ）を縦方向に収納することができる。
【００４１】
また、挿入孔３１ｃから螺子受け３１Ｃ、挿入孔３１ｃ’から螺子受け３１Ｃ’に向けて支持体４１Ａ、４１Ｂを挿入し、固定した場合、挿入孔３１ｃ、３１ｃ’は、上端１１から約１１ｃｍの深さに位置しており、Ａ５用紙（タテ２１０ｍｍ、ヨコ１４８ｍｍ）を横方向に収納することができる。
【００４２】
また、挿入孔３１ｄから螺子受け３１Ｄ、挿入孔３１ｄ’から螺子受け３１Ｄ’に向けて支持体４１Ａ、４１Ｂを挿入し、固定した場合、挿入孔３１ｄ、３１ｄ’は、上端１１から約９ｃｍの深さに位置しており、Ｂ６用紙（タテ１８２ｍｍ、ヨコ１２８ｍｍ）を横方向に収納することができる。
【００４３】
側板１２’と仕切り板２との空間（第２収納空間Ｙ）にＢ６用紙を収納した場合は先に説明したとおりであり、Ａ４、Ｂ５、Ａ５サイズの用紙を収納できるように、支持体４２Ａ、４２Ｂの取り付け位置を変更する方法を説明する。
【００４４】
まず、支持体４２Ａ、４２Ｂを取り外す。そして、挿入孔３２ａから螺子受け３２Ａ、挿入孔３２ａ’から螺子受け３２Ａ’に向けて支持体４２Ａ、４２Ｂを挿入し、固定した場合、挿入孔３２ａ、３２ａ’は、上端１１から約２４ｃｍの深さに位置しており、Ａ４用紙（タテ２９７ｍｍ、ヨコ２１０ｍｍ）を縦方向に収納することができる。
【００４５】
また、挿入孔３２ｂから螺子受け３２Ｂ、挿入孔３２ｂ’から螺子受け３２Ｂ’に向けて支持体４２Ａ、４２Ｂを挿入し、固定した場合、挿入孔３２ｂ’、３２ｂ’は、上端１１から約２０ｃｍの深さに位置しており、Ｂ５用紙（タテ２５７ｍｍ、ヨコ１８２ｍｍ）を縦方向に収納することができる。
【００４６】
また、挿入孔３２ｃから螺子受け３２Ｃ、挿入孔３２ｃ’から螺子受け３２Ｃ’に向けて支持体４２Ａ、４２Ｂを挿入し、固定した場合、挿入孔３２ｃ、３２ｃ’は、上端１１から約９ｃｍの深さに位置しており、Ａ５用紙（タテ２１０ｍｍ、ヨコ１４８ｍｍ）を横方向に収納することができる。
【００４７】
（２）効果
以上のような本実施形態のケースは、記載台の切欠部に挿入して使用した場合、記載台上のスペースを制限することがない。従来のケースでは、用紙を水平方向に収納する形であったため、例えば、Ａ４サイズの用紙を収納する場合、最低でも、タテ２９７ｍｍ、ヨコ２１０ｍｍ分の面積を記載台の天板上に確保する必要があった。しかし、本実施形態のケースは、図４に示すように、記載台の天板の垂直方向に用紙を収納する形であるため、奥行きは、用紙を収納しておく枚数分の厚さを確保するのみでよい。
【００４８】
本実施形態のケースは、ケース本体の内部を水平方向に隣接する２つの収納空間に仕切る仕切り板を有する。このため、１つのケースの中に、第１収納空間、第２収納空間という２つの収納空間ができる。このため、それぞれの収納空間に異なる種類の用紙を収納することができる。
【００４９】
本実施形態のケースでは、ケース本体と仕切り板とに架け渡して取り付けられる支持体を設けることで、収納空間に収納される用紙の下端は、ケース底板ではなく、支持体によって支持される。すなわち、支持体の取り付け位置（上端からの深さ）によって、収納される用紙の下端の位置が決定される。また、支持体は着脱可能であり、支持体の取り付け位置を変更可能とする支持体取付部を設けることで、収納する用紙の種類に応じて支持体の取り付け位置を変更することができる。そして、１つの収納空間において、支持体の取り付け位置を変更することによって、サイズの異なる用紙を入れ替え収納することができる。さらに、第１収納空間、第２収納空間それぞれに、支持体の取り付け位置を変更できる第１支持体取付部、第２支持体取付部を設けることで、第１支持体の取り付け位置と第２支持体の取り付け位置を異なる位置に設定することができ、第１収納空間と第２収納空間に異なるサイズの用紙を収納することができる。
【００５０】
本実施形態の支持体取付部は、取り付け位置（ケース本体の上端からの深さ）が４段階で異なる位置に備えられているため、収納される用紙の下端の位置を４段階で変えることができる。１つの収納空間において、支持体の取り付け位置を変更することによって、サイズの異なる用紙、例えば、Ａ４、Ｂ５、Ａ５、Ｂ６用紙を入れ替え収納することができる。また、本実施形態では、第１収納空間、第２収納空間それぞれに、支持体の取り付け位置を変更できる第１支持体取付部、第２支持体取付部を設けることで、第１支持体と第２支持体の取り付け位置が異なるように設定することができ、第１収納空間と第２収納空間それぞれに異なるサイズの異なる種類の用紙を収納することができる。
【００５１】
本実施形態では、支持体取付部として２つの挿入孔が、上端からの深さが同じ位置に、ケース側板を左右二等分する縦方向の中心線に対して左右対称に設けられている。また、その２つの挿入孔に対応する２つの螺子受けは、同軸上に設けられている。そのため、収納する用紙の下端を２つの支持体で支持することができ、用紙を安定的に保持することができる。
【００５２】
本実施形態の支持体はその先端部に螺子部を有し、挿入孔から挿入された支持体は螺子受けに螺合連結されるため、支持体がケースに確実に固定され、収納する用紙の下端を安定的に支持することができる。
【００５３】
本実施形態では、一方の側板に設けられた挿入孔に対応する螺子受けと、他方の側板に設けられた挿入孔に対応する螺子受けとが、仕切り板において、垂直方向、水平方向ともに同じ位置に設けられることはない。そのため、仕切り板は、支持体１つを取り付けるための螺子受けを備えられるだけの板厚があればよく、板厚を薄くすることができる。
【００５４】
本実施形態の仕切り板は、アクリル板であり、アクリル板は透明であることから、ケース本体の上端開口部からケース本体内部を見たときに仕切り板が目立たず、デザイン的に優れる。さらに、仕切り板の上端部は、ケース本体の上端開口部より１〜３ｃｍケース内部に位置するため、仕切り板がより目立たない。
【００５５】
本実施形態では、フランジ部を有するため、記載台の切欠部の下部にケースを支持するための部材を備えることなく、ケースを記載台の切欠部に挿入した状態で保持することができる。さらに、切欠部にケースを挿入した状態で、ケースに備えられた固定部材が切欠部側壁に近接するように形成されているため、ケースがぐらつかない。
【００５６】
本実施形態の切欠部は、記載台において、幕板より奥側に備えられているため、ケースが記載台の表側から見えることがなく、デザイン的に優れる。また、記載台の天板手前から幕板までの広いスペースを確保することができ、車椅子で作業を行う場合にも対応することができる。
【００５７】
本実施形態では、ケース底板の一部が開口している。このため、ケースに収納すべき用紙ではなく、誤ってゴミ等を投入してしまった場合にも、開口したケース底板から排出させることができる。また、本実施形態では、ケース底板の一部がケース側板と連設されているため、ケースの強度が高い。
【００５８】
［２．他の実施形態］
本発明は上記実施形態において示した態様に限定されるものではなく、例えば、以下のような実施形態も包含するものである。
【００５９】
本実施形態では、挿入孔を２つの側板に８つずつ、螺子受けを１６つ設けているが、収納する用紙のサイズや種類に合わせて、挿入孔と螺子受けの位置と数を設定できる。本実施形態では、ケースに収納される用紙として、Ａ４、Ｂ５、Ａ５、Ｂ６サイズを例示したが、本発明の挿入孔の位置を変更させて、宅配伝票等の定形外用紙を収納することもできる。
【００６０】
また、本実施形態の支持体取付部は、挿入孔と螺子受けに限られず、支持体を取り付けられるものであればよい。
【００６１】
本発明の仕切り板は、本実施形態のようにケースの長辺方向に平行に備えるのではなく、短辺方向に平行に備えてもよい。また、さらに仕切り板を設けて、十字状に形成してもよい。この場合、ケース内部には、仕切り板によって隔てられた４つの収納空間ができ、１つの収納空間で用紙の下端を支持する支持体は１本であってもよい。
【００６２】
本実施形態では、記載台の切欠部に挿入されたケースを支持する部材として、フランジ部を有するケースを例として挙げたが、ケースはフランジ部を備えていなくてもよい。ケースにフランジ部がない場合には、記載台の切欠部の下に、切欠部を上端開口部とした箱体を設けることで、ケースを支持することができる。
【００６３】
本実施形態では、仕切り板に用いる素材としてアクリル板を挙げた。しかしながら、本発明は、仕切り板に用いる素材として、アクリル板に限られず、例えば、他の合成樹脂や、仕切り板としての硬さを有する素材であれば、あらゆる素材によって構成することが可能である。
【００６４】
本実施形態では、記載台の切欠部にケースを挿入した状態で、用紙を出し入れする上端が記載台の天板に平行になっている例を示した。しかしながら、本発明は、ケースを記載台に対して傾けて設置してもよい。
【００６５】
本発明の記載台は、天板の上に朱肉カレンダートレーを置くことができる。例えば、朱肉カレンダートレーの隣に切欠部を１つ設けるか、または、朱肉カレンダートレーの両隣に１つずつ切欠部を設けることができる。
【符号の説明】
【００６６】
１  用紙収納ケース
２  仕切り板
５  フランジ部
１０  ケース本体
１１  上端
１２、１２’、１３、１３’  側板
４１Ａ、４１Ｂ、４２Ａ、４２Ｂ  支持体
１００  記載台
１０１  天板
１０２、１０２’  側板
１０４  切欠部
【図１】
0005779448.tif 000002
【図２】
0005779448.tif 000003
【図３】
0005779448.tif 000004
【図４】
0005779448.tif 000005